【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アップリンク送信のための送信構成を含む条件付き許可を受信するステップと、
アップリンクアクティブ化許可を競合ベースの共有キャリアを介して受信するステップであって、前記アップリンクアクティブ化許可は、前記条件付き許可に関連付けられた前記アップリンク送信をアクティブ化する、ステップと、
前記送信構成に従って前記競合ベースの共有キャリア上で前記アップリンク送信を送信するステップとを含み、前記送信が前記アップリンクアクティブ化許可に応答し、
前記アップリンクアクティブ化許可を受信するステップが、前記競合ベースの共有キャリアを介して第1のシンボル内でサービング基地局の共通基準信号を検出するステップを含む、方法。
【請求項２】
前記条件付き許可が、
非競合ベースのキャリア、または
前記競合ベースの共有キャリア
のうちの1つを介して受信される、請求項1に記載の方法。
【請求項３】
前記条件付き許可が、
サブフレーム当たり単一の送信、
複数の送信時間間隔(TTI)、または
半永続的スケジューリング(SPS)許可
のうちの1つにおいて受信される、請求項2に記載の方法。
【請求項４】
前記条件付き許可が、ダウンリンク許可が搬送される前記競合ベースの共有キャリア上の他のどんな制御チャネルにも関係なく、物理ダウンリンク制御チャネル(PDCCH)または拡張PDCCH(EPDCCH)のうちの1つを介して受信される、請求項1に記載の方法。
【請求項５】
前記アップリンクアクティブ化許可を受信する前記ステップが、
前記アップリンクアクティブ化許可内の送信表示を特定するステップを含み、前記送信表示が、複数のサービスされるUEのうちのどのUEが送信のためにスケジュールされるかを特定し、前記送信するステップが、前記送信表示を特定するステップに応答してトリガされる、請求項1に記載の方法。
【請求項６】
前記アップリンクアクティブ化許可が、明示的シグナリングまたは暗示的シグナリングのうちの1つを介して、アップリンク送信機会の間の送信のために示される前記特定されたUEのための前記アップリンク送信のスケジュールを与える、請求項5に記載の方法。
【請求項７】
前記送信構成が、
トランスポートブロックサイズ、
変調およびコーディング方式(MCS)、
リソース割当て、
インターリーブの数、
ハイブリッド自動再送要求(HARQ)識別子(ID)、
冗長レベル、のうちの1つまたは複数を含む、請求項1に記載の方法。
【請求項８】
前記条件付き許可が、サブフレームに関連付けられたプロセス識別子(ID)を含み、前記送信構成が変調およびコーディング方式(MCS)、インターリーブの数、トランスポートブロックサイズ、およびリソース割当てのうちの1つまたは複数を含み、
送信する前記ステップが、前記アップリンク送信とともに前記プロセスIDを送信するステップを含む、請求項1に記載の方法。
【請求項９】
再送信のためにスケジュールされたアップリンク再送信を検出するステップと、
前記アップリンク再送信がスケジュールされる前回の送信に関連付けられた前記トランスポートブロックサイズが、現在の送信に関連付けられた現在のトランスポートブロックサイズに等しいことを決定するステップと、
前記現在の送信よりも前記スケジュールされたアップリンク再送信の再送信を優先するステップとをさらに含み、前記アップリンク送信を送信する前記ステップが、前記前回の送信に関連付けられた前記プロセスIDを送信するステップを含む、請求項8に記載の方法。
【請求項１０】
ワイヤレス通信のために構成された装置であって、
アップリンク送信のための送信構成を含む条件付き許可を受信するための手段と、
アップリンクアクティブ化許可を競合ベースの共有キャリアを介して受信するための手段であって、前記アップリンクアクティブ化許可は、前記条件付き許可に関連付けられた前記アップリンク送信をアクティブ化する、手段と、
前記送信構成に従って前記競合ベースの共有キャリア上で前記アップリンク送信を送信するための手段とを含み、送信するための前記手段が前記アップリンクアクティブ化許可に応答して実行され、
前記アップリンクアクティブ化許可を受信するための手段が、前記競合ベースの共有キャリアを介して第1のシンボル内でサービング基地局の共通基準信号を検出するための手段を含む、装置。
【請求項１１】
前記条件付き許可が、
非競合ベースのキャリア、または
前記競合ベースの共有キャリア
のうちの1つを介して受信される、請求項10に記載の装置。
【請求項１２】
前記条件付き許可が、
サブフレーム当たり単一の送信、
複数の送信時間間隔(TTI)、または
半永続的スケジューリング(SPS)許可
のうちの1つにおいて受信される、請求11に記載の装置。
【請求項１３】
前記条件付き許可が、ダウンリンク許可が搬送される前記競合ベースの共有キャリア上の他のどんな制御チャネルにも関係なく、物理ダウンリンク制御チャネル(PDCCH)または拡張PDCCH(EPDCCH)のうちの1つを介して受信される、請求項10に記載の装置。
【請求項１４】
前記アップリンクアクティブ化許可を受信するための前記手段が、
前記アップリンクアクティブ化許可内の送信表示を特定するための手段を含み、前記送信表示が、複数のサービスされるUEのうちのどのUEが送信のためにスケジュールされるかを特定し、送信するための前記手段が、前記送信表示を特定するための前記手段に応答してトリガされる、請求項10に記載の装置。
【請求項１５】
前記アップリンクアクティブ化許可が、明示的シグナリングまたは暗示的シグナリングのうちの1つを介して、アップリンク送信機会の間の送信のために示される前記特定されたUEのための前記アップリンク送信のスケジュールを与える、請求項14に記載の装置。
【請求項１６】
前記送信構成が、
トランスポートブロックサイズ、
変調およびコーディング方式(MCS)、
リソース割当て、
インターリーブの数、
ハイブリッド自動再送要求(HARQ)識別子(ID)、
冗長レベル、のうちの1つまたは複数を含む、請求項10に記載の装置。
【請求項１７】
前記条件付き許可が、サブフレームに関連付けられたプロセス識別子(ID)を含み、前記送信構成が、変調およびコーディング方式(MCS)、インターリーブの数、トランスポートブロックサイズ、およびリソース割当てのうちの1つまたは複数を含み、
送信するための前記手段が、前記アップリンク送信とともに前記プロセスIDを送信するための手段を含む、請求項10に記載の装置。
【請求項１８】
再送信のためにスケジュールされたアップリンク再送信を検出するための手段と、
前記アップリンク再送信がスケジュールされる前回の送信に関連付けられた前記トランスポートブロックサイズが、現在の送信に関連付けられた現在のトランスポートブロックサイズに等しいことを決定するための手段と、
前記現在の送信よりも前記スケジュールされたアップリンク再送信の再送信を優先するための手段とをさらに含み、前記アップリンク送信を送信するための前記手段が、前記前回の送信に関連付けられた前記プロセスIDを送信するための手段を含む、請求項17に記載の装置。
【請求項１９】
コンピュータプログラムコードを記録したコンピュータ可読記録媒体であって、前記コンピュータプログラムコードが、
アップリンク送信のための送信構成を含む条件付き許可をコンピュータに受信させるためのプログラムコードと、
アップリンク送信機会を示すアップリンクアクティブ化許可を競合ベースの共有キャリアを介して前記コンピュータに受信させるためのプログラムコードと、
前記送信構成に従って前記競合ベースの共有キャリア上で前記アップリンク送信を前記コンピュータに送信させるためのプログラムコードとを含み、前記コンピュータに送信させるための前記プログラムコードが前記アップリンクアクティブ化許可に応答して実行され、
前記アップリンクアクティブ化許可を前記コンピュータに受信させるためのプログラムコードが、前記コンピュータに、前記競合ベースの共有キャリアを介して第1のシンボル内でサービング基地局の共通基準信号を検出させるためのプログラムコードを含む、コンピュータ可読記録媒体。
【請求項２０】
前記条件付き許可が、
非競合ベースのキャリア、または
前記競合ベースの共有キャリアのうち
の1つを介して受信される、請求項19に記載のコンピュータ可読記録媒体。
【請求項２１】
前記条件付き許可が、
サブフレーム当たり単一の送信、
複数の送信時間間隔(TTI)、または
半永続的スケジューリング(SPS)許可
のうちの1つにおいて受信される、請求項20に記載のコンピュータ可読記録媒体。
【請求項２２】
前記条件付き許可が、ダウンリンク許可が搬送される前記競合ベースの共有キャリア上の他のどんな制御チャネルにも関係なく、物理ダウンリンク制御チャネル(PDCCH)または拡張PDCCH(EPDCCH)のうちの1つを介して受信される、請求項19に記載のコンピュータ可読記録媒体。
【請求項２３】
前記アップリンクアクティブ化許可を前記コンピュータに受信させるための前記プログラムコードが、
前記アップリンクアクティブ化許可内の送信表示を前記コンピュータに特定させるためのプログラムコードを含み、前記送信表示が、複数のサービスされるUEのうちのどのUEが送信のためにスケジュールされるかを特定し、前記コンピュータに送信させるための前記プログラムコードが、前記送信表示を特定することに応答してトリガされる、請求項19に記載のコンピュータ可読記録媒体。
【請求項２４】
前記アップリンクアクティブ化許可が、明示的シグナリングまたは暗示的シグナリングのうちの1つを介して、前記アップリンク送信機会の間の送信のために示される前記特定されたUEのための前記アップリンク送信のスケジュールを与える、請求項23に記載のコンピュータ可読記録媒体。
【請求項２５】
前記送信構成が、
トランスポートブロックサイズ、
変調およびコーディング方式(MCS)、
リソース割当て、
インターリーブの数、
ハイブリッド自動再送要求(HARQ)識別子(ID)、
冗長レベル、のうちの1つまたは複数を含む、請求項19に記載のコンピュータ可読記録媒体。
【請求項２６】
前記条件付き許可が、サブフレームに関連付けられたプロセス識別子(ID)を含み、前記送信構成が、変調およびコーディング方式(MCS)、インターリーブの数、トランスポートブロックサイズ、およびリソース割当てのうちの1つまたは複数を含み、
前記コンピュータに送信させるための前記プログラムコードが、前記アップリンク送信とともに前記プロセスIDを前記コンピュータに送信させるためのプログラムコードを含む、請求項19に記載のコンピュータ可読記録媒体。
【請求項２７】
再送信のためにスケジュールされたアップリンク再送信を前記コンピュータに検出させるためのプログラムコードと、
前記アップリンク再送信がスケジュールされる前回の送信に関連付けられた前記トランスポートブロックサイズが、現在の送信に関連付けられた現在のトランスポートブロックサイズに等しいことを前記コンピュータに決定させるためのプログラムコードと、
前記コンピュータに、前記現在の送信よりも前記スケジュールされたアップリンク再送信の再送信を優先させるためのプログラムコードとをさらに含み、前記アップリンク送信を前記コンピュータに送信させるための前記プログラムコードが、前記前回の送信に関連付けられた前記プロセスIDを前記コンピュータに送信させるためのプログラムコードを含む、請求項26に記載のコンピュータ可読記録媒体。
【請求項２８】
ワイヤレス通信のために構成された装置であって、
少なくとも1つのプロセッサと、
前記少なくとも1つのプロセッサに結合されたメモリとを備え、
前記少なくとも1つのプロセッサが、
アップリンク送信のための送信構成を含む条件付き許可を受信することと、
アップリンク送信機会を示すアップリンクアクティブ化許可を競合ベースの共有キャリアを介して受信することと、
前記送信構成に従って前記競合ベースの共有キャリア上で前記アップリンク送信を送信することとを行うように構成され、送信するための前記構成が、前記アップリンクアクティブ化許可に応答して実行され、
前記アップリンクアクティブ化許可を受信する前記少なくとも1つのプロセッサの構成が、前記競合ベースの共有キャリアを介して第1のシンボル内でサービング基地局の共通基準信号を検出する前記少なくとも1つのプロセッサの構成を含む、装置。
【請求項２９】
前記条件付き許可が、
非競合ベースのキャリア、または
前記競合ベースの共有キャリア
のうちの1つを介して受信される、請求項28に記載の装置。
【請求項３０】
前記条件付き許可が、
サブフレーム当たり単一の送信、
複数の送信時間間隔(TTI)、または
半永続的スケジューリング(SPS)許可
のうちの1つにおいて受信される、請求項29に記載の装置。
【請求項３１】
前記条件付き許可が、ダウンリンク許可が搬送される前記競合ベースの共有キャリア上の他のどんな制御チャネルにも関係なく、物理ダウンリンク制御チャネル(PDCCH)または拡張PDCCH(EPDCCH)のうちの1つを介して受信される、請求項28に記載の装置。
【請求項３２】
前記アップリンクアクティブ化許可を受信するための前記少なくとも1つのプロセッサの前記構成が、
前記アップリンクアクティブ化許可内の送信表示を特定するための前記少なくとも1つのプロセッサの構成を含み、前記送信表示が、複数のサービスされるUEのうちのどのUEが送信のためにスケジュールされるかを特定し、送信するための前記構成が、前記送信表示を特定することに応答してトリガされる、請求項28に記載の装置。
【請求項３３】
前記アップリンクアクティブ化許可が、明示的シグナリングまたは暗示的シグナリングのうちの1つを介して、前記アップリンク送信機会の間の送信のために示される前記特定されたUEのための前記アップリンク送信のスケジュールを与える、請求項32に記載の装置。
【請求項３４】
前記送信構成が、
トランスポートブロックサイズ、
変調およびコーディング方式(MCS)、
リソース割当て、
インターリーブの数、
ハイブリッド自動再送要求(HARQ)識別子(ID)、
冗長レベル、のうちの1つまたは複数を含む、請求項28に記載の装置。
【請求項３５】
前記条件付き許可が、サブフレームに関連付けられたプロセス識別子(ID)を含み、前記送信構成が、変調およびコーディング方式(MCS)、インターリーブの数、トランスポートブロックサイズ、およびリソース割当てのうちの1つまたは複数を含み、
送信するための前記少なくとも1つのプロセッサの前記構成が、前記アップリンク送信とともに前記プロセスIDを送信するための構成を含む、請求項28に記載の装置。
【請求項３６】
再送信のためにスケジュールされたアップリンク再送信を検出することと、
前記アップリンク再送信がスケジュールされる前回の送信に関連付けられた前記トランスポートブロックサイズが、現在の送信に関連付けられた現在のトランスポートブロックサイズに等しいことを決定することと、
前記現在の送信よりも前記スケジュールされたアップリンク再送信の再送信を優先することとを行うための前記少なくとも1つのプロセッサの構成をさらに含み、前記アップリンク送信を送信するための前記少なくとも1つのプロセッサの前記構成が、前記前回の送信に関連付けられた前記プロセスIDを送信するための構成を含む、請求項35に記載の装置。